(57)【要約】【課題】既設枠や外壁の形状や大きさ等が相違していてもカバー本体以外の部分で覆い隠すことができる。【解決手段】改装サッシの既設枠の内側に新設枠を設置し、既設枠の屋外側をカバー部材１３で被覆した。縦枠カバー部材２２は既設縦枠９の屋外側を囲う。縦枠カバー部材２２の一方の側部２２ａは既設縦枠９と新設縦枠１７の間に設置し、新設縦枠１７との間を止水材４６で封止した。他方の側部２２ｂは端部に既設屋外側端部９ｃに載置するボックス部２０ｃを設置し、当接リブ４８を介して既設屋外側端部９ｃに固定ねじで固定した。ボックス部２０ｃの上部開口２２ｅに嵌合する嵌合ヒレ部を有する蓋部４９ａと既設縦枠９の端面９ｄに当接する当接片４９ｂとを備えたねじカバー４９をボックス部２０ｃに設置した。適宜形状のねじカバー４９で既設屋外側端部９ｃとシール部材５３を封止した。【選択図】図６
2018080548.tif 000002
【特許請求の範囲】
【請求項１】
建物の開口部に設けた建具用の枠の屋外側を覆うカバー部材であって、
前記建具用の枠の屋外側部分を覆うカバー本体と、
前記カバー本体の側部に取り付けた補助カバー部材とを備え、
前記補助カバー部材は前記カバー本体の外側に位置する前記建具用の枠の部分と前記建具用の枠の部分に接続された外壁との少なくとも一方を覆うようにしたことを特徴とするカバー部材。
【請求項２】
前記補助カバー部材は、前記建具用の枠と前記カバー本体との接続部を外側から覆っている請求項１に記載されたカバー部材。
【発明の詳細な説明】
【技術分野】
【０００１】
本発明は、住宅等の建物を改装する際に既設枠等を覆うように設置したカバー部材に関する。
【背景技術】
【０００２】
従来、サッシの改装を行う場合に、改装サッシの枠である新設枠を既設枠や躯体にネジなどの固定具で固定している。例えば特許文献１に記載された改装サッシでは、カバー部材で古い既設枠の屋外側の面を覆い隠して外観の意匠性を向上させていた。しかも、既設枠をカバー部材で覆い隠す際、カバー部材の一方の端部を建物の外壁にねじ固定し、他方の端部は既設枠と新設枠の間に延ばして止水材でシールしている。
また、既設枠の縦枠の見付け面が大きい場合等にはカバー部材の一方の端部を、建物の外壁に代えて既設枠の縦枠等にねじ固定することもあった。
【先行技術文献】
【特許文献】
【０００３】
【特許文献１】特開２０１５−１３７５３２号公報
【発明の概要】
【発明が解決しようとする課題】
【０００４】
しかしながら、上述したカバー部材によって建物の外壁や既設枠等を覆い隠す際、改修対象となるサッシの既設枠や外壁の形状や大きさ等が種々異なっており、これに対応できるように種々の形状や大きさのカバー部材を用意しておくことが必要になり、コスト高であった。  
【０００５】
本発明は、このような実情に鑑みてなされたものであり、既設枠や外壁の形状や大きさ等が相違していてもカバー本体以外の部分で覆い隠すことができるようにしたカバー部材を提供することを目的とする。
【課題を解決するための手段】
【０００６】
上記目的を達成するため、本発明に係るカバー部材は、建物の開口部に設けた建具用の枠の屋外側を覆うカバー部材であって、建具用の枠の屋外側部分を覆うカバー本体と、カバー本体の側部に取り付けた補助カバー部材とを備え、補助カバー部材はカバー本体の外側に位置する建具用の枠の部分と建具用の枠の部分に接続された外壁との少なくとも一方を覆うようにしたことを特徴とする。
本発明によれば、カバー本体で建具用の枠の屋外側を覆うと共に、その外側に位置する建具用の枠の部分と外壁との少なくとも一方を補助カバー部材で覆うことで、既設枠等の建具用の枠や外壁の形状や大きさ等が相違していても覆い隠すことができる。そのため、カバー部材のカバー本体を変更することなく、大きさや形状の異なる補助カバー部材を交換装着することでカバー本体の外側に位置する建具用の枠や外壁等を適切に覆い隠すことができる。
【０００７】
また、補助カバー部材は建具用の枠とカバー本体との接続部を外側から封止するシール部材を覆っていることが好ましい。
補助カバー部材は、建具用の枠だけでなく枠とカバー本体との接続部を封止するシール部材を覆い隠すことで、より一層、意匠上の美観を向上させることができる。
【０００８】
また、本発明による改装サッシによれば、建物の開口部に設けられた既設枠と、既設枠の内側に取り付けられた新設枠と、既設枠の屋外側を覆うカバー本体を備えたカバー部材とを備えた改装サッシであって、カバー部材の受け部に取り付けられていて被固定部に固定する固定具と、固定具を覆う補助カバー部材とを備え、補助カバー部材はカバー本体の外側に位置する既設枠の部分と既設枠の部分に接続された外壁の少なくとも一方を覆うようにしたことを特徴とする。
本発明による改装サッシによれば、カバー部材のカバー本体で既設枠の屋外側部分を覆うと共に、その外側に位置する既設枠の部分と外壁の少なくとも一方を固定具を覆う補助カバー部材によって覆うため、既設枠や外壁の形状や大きさ等が種々相違していても補助カバー部材で覆うことができる。そのため、カバー部材ではなく補助カバー部材を交換等することで、カバー本体からはみ出る既設枠の部分や外壁を適切に覆い隠すことができて意匠上の美観を向上できる。
【発明の効果】
【０００９】
本発明によるカバー部材によれば、建具用の枠や外壁の形状や大きさ等が相違していても、既設枠の屋外側部分を覆うカバー本体の外側に位置する建具上の枠の部分と外壁の少なくとも一方を、固定具を覆う補助カバー部材によって覆い隠すことができる。そのため、建具用の枠における屋外側の意匠上の美観を向上できる。
【図面の簡単な説明】
【００１０】
【図１】本発明の第一実施形態によるカバー部材を備えた改装サッシの概略構成を示す要部分解斜視図である。
【図２】第一実施形態による改装サッシの縦断面図である。
【図３】第一実施形態による改装サッシの横断面図である。
【図４】図２に示す改装サッシの上枠部分の拡大図である。
【図５】図２に示す改装サッシの下枠部分の拡大図である。
【図６】図３に示す改装サッシの縦枠部分の拡大図である。
【図７】図６に示す縦枠カバー部材による既設縦枠の屋外側端部の被覆状態を示す要部断面斜視図である。
【図８】第二実施形態による縦枠カバー部材の断面図である。
【図９】第三実施形態による縦枠カバー部材の断面図である。
【発明を実施するための形態】
【００１１】
以下、本発明の第一実施形態によるカバー部材を備えた改装サッシ(建具)について、図１乃至図７に基づいて説明する。
図１に示す本実施形態による建物の改装サッシ１は屋内と屋外を仕切る外壁２の開口部３に設けられたサッシを改装する際に用いられている。改装サッシ１の改装は、既設サッシ５内に納めた既設の障子（不図示）が撤去され、既設サッシ５のサッシ枠６（以下、既設枠６とする）は撤去されずに残された状態で施工される。本実施形態では、既設枠６の屋内側に開口部３の縁部に沿って額縁２７が設けられている。
既設枠６は、見付け方向（外壁２に沿った水平方向）に延在する既設上枠７及び既設下枠８と、縦方向に配設された左右の既設縦枠９，１０と、からなる四角形枠状を有している。
【００１２】
新設された改装サッシ１は、新設のサッシ枠１２（以下、新設枠１２とする）と、サッシ枠１２に納められる新設の外障子２５及び内障子２６（図２、図３参照）とを有している。新設枠１２は既設枠６の内側に取り付けられている。見付け方向に延在する新設上枠１５及び新設下枠１６と、縦方向に配設された左右の新設縦枠１７，１８と、からなる四角形枠状を有している。なお、既設枠６と新設枠１２との間には気密を行う気密材(図示せず)がそれぞれ設置されている。
【００１３】
また、新設枠１２の外側には既設枠６の屋外側を覆うためのカバー部材１３が設置されている。カバー部材１３は見付け方向に延在する上枠カバー部材２０及び下枠カバー部材２１と、縦方向に配設された左右一対の縦枠カバー部材２２，２３と、からなる四角形枠状を有している。左右の縦枠カバー部材２２，２３は上枠カバー部材２０及び下枠カバー部材２１の両端部の外側に延びて四角形枠状を形成している。また、アングルカバーは、上枠アングルカバー２９、下枠アングルカバー３０、縦枠アングルカバー３１、３２が四方組みされた状態で、屋内側から差込まれてねじ固定されている。そして、各アングルカバーの屋内側端部は額縁２７に当接されている。
本実施形態による改装サッシ１は、図２及び図３に示すように、既設枠６が外壁２と同等な屋外側位置に設置されていて半外付枠であるが、内付枠に構成してもよい。
【００１４】
次に実施形態による改装サッシ１の構造を具体的に説明する。
図２及び図３に示すように、四角形枠状をなす金属製の既設枠６の屋内側には額縁２７が四角形枠状に設置されている。新設枠１２は金属製の新設上枠１５の屋内側に樹脂製の上枠アングルカバー２９、新設下枠１６の屋内側に樹脂製の下枠アングルカバー３０、左右の新設縦枠１７，１８の屋内側に樹脂製の縦枠アングルカバー３１、３２を樹脂枠としてそれぞれ設置している。
外障子２５と内障子２６はそれぞれアルミ合金等の金属框とその屋内側に設置された樹脂框とで形成された複層障子であり、改装サッシ１は複層サッシである。外障子２５と内障子２６は二層ガラス等の複層ガラスをそれぞれ収納している。既設枠６内に収納された従来の外障子と内障子が例えば単層ガラスであったため、改装サッシ１に改修することで断熱性を向上できる。
【００１５】
次に上枠における既設上枠７と新設上枠１５と上枠カバー部材２０の設置構造について図２及び図４により説明する。
改装サッシ１の上枠において、既設上枠７は段付き形状で段付き部７ａの屋内側に額縁２７が設置されてねじ固定されており、屋外側端部は新設の外障子２５側に向けて屈曲されて下方に延びる既設屋外側端部７ｂを形成している。既設上枠７の既設屋外側端部７ｂは最も屋外側に形成されており、この既設屋外側端部７ｂと段付き部７ａとの間に取り外した既設障子用の既設外ガイドレール７ｃ、既設内ガイドレール７ｄが所定間隔で下方に垂下している。
【００１６】
そして、既設上枠７の内側（下側）には新設枠１２の新設上枠１５が設置されている。新設上枠１５は見込み方向に延びる板状の基部１５ａを有しており、その屋外側端部には下方に屈曲する新設網戸ガイドレール１５ｂが形成されている。新設網戸ガイドレール１５ｂの見込み方向屋内側には新設外ガイドレール１５ｃと新設内ガイドレール１５ｄが順次下方に延びて形成されている。
基部１５ａの見込み方向中間部分には上方に延びる連結ガイド１５ｅが形成され、既設上枠７の下部に固定された下地材２８に固定ねじｎ１によって連結されている。基部１５ａの基端部は固定ねじｎ２によって下地材２８に連結されている。固定ねじｎ１はシール材でシールされている。
【００１７】
新設上枠１５の屋内側端部には係止片１５ｆが設けられている。樹脂製の上枠アングル２９ａは係止片１５ｆに嵌合しており、しかも新設上枠１５の屋内側端部から見込み方向屋外側に延びて新設内ガイドレール１５ｄの屋内側の面と下端部とを覆っている。上枠アングル２９ａの屋内側端部には額縁２７との隙間を覆う上枠アングルカバー２９が設置されており、上枠アングル２９ａと上枠アングルカバー２９とはねじで固定されている。
上枠アングルカバー２９は、その屋内側端部が上方に延びて下地材２８を覆って額縁２７の下面に当接している。なお、上枠アングルカバー２９の屋内側端部は、額縁２７の下面に当接していなくてもよく、その際、上枠アングルカバー２９の屋内側端部と額縁２７との隙間を補助部材で屋内側から被覆していてもよい。
【００１８】
新設上枠１５に設置された新設網戸ガイドレール１５ｂは新設網戸３３の上桟に形成した溝状のレール受け３３ａ内に受け入れられている。同様に、新設上枠１５の新設外ガイドレール１５ｃを受け入れる外障子２５のレール受け２５ａと、新設内ガイドレール１５ｄを受け入れる内障子２６のレール受け２６ａとが形成されている。
そして、既設上枠７の屋外側には、既設上枠７を覆うための断面略コの字状の上枠カバー部材２０が設置されている。上枠カバー部材２０は一方の長尺の側部２０ａが既設上枠７と新設上枠１５との間で基部１５ａ上に延びていて、基部１５ａとの間に例えばスポンジ等からなる止水材３４が設置されている。上枠カバー部材２０の一方の側部２０ａの先端側には所定間隔で切断可能な凹溝ｖが形成され、既設上枠７と新設上枠１５の間への進入長さを調整可能とした。
【００１９】
上枠カバー部材２０の他方の短尺の側部２０ｂはその端部に上部開口２０ｅを有するボックス部２０ｃが形成され、ボックス部２０ｃの底部２０ｄとその屋内側の下地ブロック３５とが固定ねじｎ３で連結されている。下地ブロック３５は固定ねじｎ４によって外壁２に固定されている。なお、下地ブロック３５はなくても良く、その場合にはボックス部２０ｃの底部２０ｄは外壁２に直接当接してねじ固定される。
【００２０】
ボックス部２０ｃの上部開口２０ｅにはねじカバー４９が補助カバー部材として嵌合されている。ねじカバー４９はボックス部２０ｃの上部開口２１ｅに嵌合する嵌合ヒレ部を有する蓋部４９ａを有している。この蓋部４９ａはボックス部２０ｃの外側に延びていて屈曲して既設屋外側端部７ｂの外側の外壁２に着座する当接片４９ｂを有する断面略Ｌ字形状を形成している。これによって、ねじカバー４９は既設上枠７の既設屋外側端部７ｂの外側の外壁２を屋外側から被覆している。ねじカバー４９はボックス部２０ｃの上部開口２０ｅで着脱交換可能であり、被覆する既設屋外側端部７ｂや外壁２等の大きさや形状に応じて異なる形状のものを選択的に装着できる。
ボックス部２０ｃと下地ブロック３５と外壁２との間をシール部材３６で封止している。なお、上枠カバー部材２０において、両側の側部２０ａ、側部２０ｂとその間に設けた頂部とでカバー本体２０Ａを形成する。カバー部材１３の他の下枠カバー部材２１、縦枠カバー部材２２，２３等でも同様な構成のカバー本体２１Ａ、２２Ａ、２３Ａを有している。
【００２１】
次に下枠における既設下枠８と新設下枠１６と下枠カバー部材２１の設置構造について図２及び図５に基づいて説明する。
既設下枠８は額縁２７にねじｎ５等で固定された既設屋内側端部８ａから既設屋外側端部８ｂに向けて下方に降下する階段部と傾斜面８ｃを形成している。既設屋外側端部８ｂは略鉛直な端面を形成している。既設下枠８の傾斜面８ｃには見込み方向に所定間隔で屋外側から既設外レール８ｄと既設内レール８ｅとが順次上方に起立して形成されている。
【００２２】
図５において、既設下枠８の内側（上側）には新設下枠１６が設置されている。新設下枠１６は、外障子２５及び内障子２６の下側に設置された板状の基部１６ａと、基部１６ａの端部から下側に突出する屋外側端部１６ｂとを備えている。基部１６ａの屋内側で分岐されて既設下枠８側に延びる分岐基部１６ｃを備えており、分岐基部１６ｃは屋外側で屋外側端部１６ｂに連結されている。
基部１６ａの屋外側端部１６ｂの近傍から上側に突出する新設網戸レール１６ｄと、新設網戸レール１６ｄの屋内側で上側に突出する新設外レール１６ｅと、その屋内側で上側に突出する新設内レール１６ｆとを備えている。
【００２３】
分岐基部１６ｃには更に分岐して下方に延びる固定片１６ｇが形成され、この固定片１６ｇは躯体または額縁２７に固定された下地材３７にねじｎ６で固定されている。ねじｎ６はシール材でシールされている。
新設下枠１６の屋内側端部には上側に突出するカバー係止部１６ｈが設置されている。樹脂製の下枠アングル３０ａは新設下枠１６のカバー係止部１６ｈに嵌合している。しかも、下枠アングル３０ａの屋内側端部には額縁２７との隙間を覆う下枠アングルカバー３０が設置され、下枠アングル３０ａと下枠アングルカバー３０とはねじで固定されている。
下枠アングルカバー３０は、その屋内側端部が下方に延びて下地材３７を覆っている。下枠アングルカバー３０の屋内側端部は、額縁２７の上面に当接していてもよい。また、下枠アングルカバー３０の屋内側端部と額縁２７との隙間を補助部材で屋内側から被覆していてもよい。
【００２４】
新設下枠１６に設置された新設網戸レール１６ｄには、新設網戸３３の下桟に形成した溝状の下部レール受け３３ｂ内に設けた網戸用戸車３８が走行可能に載置されている。同様に、新設下枠１６の新設外レール１６ｅは、外障子２５の下部レール受け２５ｂ内に延びて外戸車３９が走行可能に載置され、新設内レール１６ｆは内障子２６の下部レール受け２６ｂ内に延びて内戸車４０が走行可能に載置されている。
【００２５】
そして、既設下枠８の屋外側には、既設下枠８を覆うための断面略コの字状の下枠カバー部材２１が設置されている。下枠カバー部材２１は一方の長尺の側部２１ａが既設下枠８と新設下枠１６との間で分岐基部１６ｃの下側に延びていて、分岐基部１６ｃとの間に例えばスポンジ等からなる止水材４２が設置されている。一方の側部２１ａの先端側に所定間隔で切断可能な凹溝ｖを形成し、既設下枠８と新設下枠１６の間への進入長さを調整可能とした。
下枠カバー部材２１の他方の短尺の側部２１ｂはその端部に上部開口２１ｅを有するボックス部２１ｃが形成され、ボックス部２１ｃの底部２１ｄとその屋内側の下地ブロック４３とがねじｎ７で連結されている。更に下地ブロック４３は固定ねじｎ８によって外壁２に固定されている。なお、下地ブロック４３はなくても良く、その場合にはボックス部２０ｃの底部２０ｄは外壁２に直接当接して固定される。
【００２６】
ボックス部２１ｃの上部開口２１ｅにはねじカバー４９が嵌合している。ねじカバー４９はボックス部２１ｃの上部開口２１ｅに嵌合する嵌合ヒレ部を有する蓋部４９ａを有している。この蓋部４９ａはボックス部２１ｃの外側に延びていて、更に屈曲して既設屋外側端部８ｂの外側の外壁２に着座する当接片４９ｂを有する断面略Ｌ字形状を形成している。これによって、ねじカバー４９は既設下枠８の既設屋外側端部８ｂと外壁２の一部を屋外側から被覆している。  
図２及び図５で示すように、既設下枠８の既設屋外側端部８ｂは、後述する既設縦枠９，１０の屋外側端部より屋外側に突出した形状を有している。下枠カバー部材２１では、この既設屋外側端部８ｂを受け入れる凹部２１ｆが形成されている。
なお、図２及び図５において、上枠カバー部材２０及び下枠カバー部材２１よりも屋外側に突出して縦枠カバー部材２２，２３が上下方向に設置されている。この縦枠カバー部材２２，２３には既設下枠８の既設屋外側端部８ｂを逃げるための後述する切り欠け部４８ａが形成されている。
【００２７】
次に図３及び図６に基づいて、既設縦枠９，１０及び新設縦枠１７，１８に設置された縦枠カバー部材２２、２３の構造について説明する。なお、既設縦枠９，１０と新設縦枠１７，１８と縦枠カバー部材２２、２３は構造が略左右対称に表れるため、図６に示す一方側の縦枠構造によって代表して説明する。
例えば右側に設置された既設縦枠９は、例えば板状の基部９ａが額縁２７にねじｎ９等で固定された既設屋内側端部９ｂから既設屋外側端部９ｃに向けて例えば階段状に拡幅する形状を有している。本実施形態では既設屋外側端部９ｃは既設縦枠９において最も屋外側に突出しており、既設下枠８の最も屋外側に突出する既設屋外側端部８ｂよりも若干屋内側に引っ込んだ位置に設置されている。既設屋外側端部９ｃの水平方向外側には屋外から引っ込んだ端面９ｄが形成され、端面９ｄはシール部材４５による目地を介して外壁２に連結されている。
【００２８】
既設縦枠９の内側（外障子２５及び内障子２６側）に設置された新設縦枠１７は、見込み方向に延びる板状の基部１７ａとその長手方向中間部分で既設縦枠９方向に延びる固定片部１７ｂとを備えている。固定片部１７ｂは躯体または額縁２７に固定された下地材４４にねじｎ１０で固定されている。基部１７ａの固定片部１７ｂより屋内側には内側に突出する突出片１７ｃが突出形成され、この突出片１７ｃに内障子２６の戸先側框が進入して当接可能とされている。
新設縦枠１７の屋内側端部には、内側に突出するカバー係止部１７ｄが設置されている。樹脂製の縦枠アングル３１ａは新設縦枠１７のカバー係止部１７ｄに嵌合している。縦枠アングル３１ａの屋内側端部には、額縁２７との隙間を覆う縦枠アングルカバー３１が設置され、縦枠アングル３１ａと縦枠アングルカバー３１とは、ねじで固定されている。
縦枠アングルカバー３１は、その屋内側端部が水平方向に延びて下地材４４を覆っている。縦枠アングルカバー３１の屋内側端部は、額縁２７の側面に当接していてもよい。また、縦枠アングルカバー３１の屋内側端部と額縁２７との隙間を補助部材で屋内側から被覆していてもよい。
【００２９】
また、既設縦枠９の屋外側には、既設縦枠９を覆うための断面略コの字状の縦枠カバー部材２２が設置されている。縦枠カバー部材２２は一方の長尺の側部２２ａが既設縦枠９と新設縦枠１７との間で基部１７ａと所定長さ重なる位置まで延びていて、基部１７ａとの間に例えばスポンジ等からなる止水材４６が設置されている。また、一方の側部２２ａの先端側に所定間隔で切断可能な凹溝ｖを形成し、既設縦枠９と新設縦枠１７の間への進入長さを調整可能とした。
縦枠カバー部材２２の他方の短尺の側部２２ｂはその端部に上部開口２２ｅを有するボックス部２２ｃが形成されている。縦枠カバー部材２２によって、既設縦枠９を屋外側から覆い隠すことができる。ボックス部２２ｃの受け部をなす底部２２ｄには既設縦枠９の既設屋外側端部９ｃに捩じ込まれる固定ねじｎ１１が挿通して取り付けられている。底部２２ｄにおいて、固定ねじｎ１１の両側には例えば板状で樹脂からなる当接部材として当接リブ４８、４８が突出して取り付けられ、先端が既設屋外側端部９ｃに当接可能とされている。
【００３０】
縦枠カバー部材２２の他方の側部２２ｂに設けたボックス部２２ｃとボックス部２２ｃの底部２２ｄに設けた固定ねじｎ１１と当接リブ４８とはカバー装着部５２を構成する。このカバー装着部５２におけるボックス部２２ｃの上部開口２２ｅにねじカバー４９が装着される。
ねじカバー４９はボックス部２２ｃの上部開口２２ｅに嵌合する嵌合ヒレ部を有する蓋部４９ａを有し、蓋部４９ａは更にボックス部２２ｃの外側に延びていて屈曲して端面９ｄに着座する当接片４９ｂを有する断面略Ｌ字形状を形成している。これによって、ねじカバー４９は既設縦枠９の既設屋外側端部９ｃと端面９ｄの一部とシール部材５３を屋外側から被覆している。
【００３１】
カバー装着部５２の上下端部の開口には雨水等の浸入を防ぐための端部キャップ５０が嵌合されている。縦枠カバー部材２２とカバー装着部５２は既設縦枠９に沿って上下方向に延びており、しかも一方の長尺の側部２２ａの下端部には既設下枠８の既設屋外側端部８ｂを挿入させる切欠部５７が形成されている(図１参照)。そして、既設縦枠９の既設屋外側端部９ｃに対して既設下枠８の既設屋外側端部８ｂの方が突出している。
そのため、カバー装着部５２の当接リブ４８を既設屋外側端部９ｃの面に当接させて固定ねじｎ１１で固定する際、既設下枠８の既設屋外側端部８ｂと干渉するので、干渉する部分の当接リブ４８を図６に示すカット線Ｋで切除して切り欠け部４８ａを形成するようにした。これによって、カバー装着部５２の当接リブ４８が既設屋外側端部８ｂと切り欠け部４８ａによって装着されて配設されるため、縦枠カバー部材２２を既設屋外側端部８ｂと干渉することなく取り付けることができる。
なお、当接リブ４８の切り欠け部４８ａと既設屋外側端部８ｂとの間は隙間なく嵌合してもよいし隙間が形成されていてもよい。隙間はシール部材等で封止できる。カバー装着部５２の取り付け状態で、ボックス部２２ｃ及び当接リブ４８の外側にシール部材５３を設けてシールした。
【００３２】
なお、上述した説明では、既設下枠８の既設屋外側端部８ｂに対する縦枠カバー部材２２の下端側での取付構造について説明したが、既設上枠７の既設屋外側端部７ｂが既設縦枠９，１０より突出している場合には同様な干渉を生じるおそれがあり、縦枠カバー部材２２の上端側に同様な当接リブ４８と切り欠け部４８ａを構成してもよい。
改装サッシ１について、一方の既設縦枠９及び新設縦枠１７に設けた縦枠カバー部材２２の構造について説明したが、他方の既設縦枠１０及び新設縦枠１８に設けた縦枠カバー部材２３においても同様な構造を有している。そのため、図３では新設縦枠１８に設けた縦枠カバー部材２３について同様な符号を付して説明を省略する。
【００３３】
本実施形態によるカバー部材１３及び改装サッシ１は上述した構成を備えており、次に改装サッシ１におけるカバー部材１３の施工方法について説明する。
まず、図２及び図３において、既設枠６から既設の外障子と内障子を取り外した状態で、既設上枠７の内側に新設上枠１５を取り付ける。図４に示すように、この新設上枠１５を固定ねじｎ１、ｎ２等で下地材２８に固定する。また、図５に示すように、既設下枠８の内側に新設下枠１６を取り付け、新設下枠１６を固定ねじｎ６等で下地材３７に固定する。
図３、図６において、左右の既設縦枠９，１０の内側にも同様に新設縦枠１７，１８を取り付けて基部１７ａ，１８ａや固定片部１７ｂ、１８ｂを固定ねじｎ１０等で下地材４４にそれぞれ固定する。
【００３４】
次に、上枠カバー部材２０、下枠カバー部材２１、左右の縦枠カバー部材２２、２３を四方組させたカバー部材１３を屋外側から一体に装着する。
即ち、図４に示すように、上枠カバー部材２０を、既設上枠７を覆うように屋外側から装着させ、長尺の一方の側部２０ａを既設上枠７と新設上枠１５との間に挿入させる。短尺の他方の側部２０ｂを既設上枠７の外側の外壁２に下地ブロック３５を介してボックス部２０ｃを着座させ、底部２０ｄから固定ねじｎ３によって下地ブロック３５に固定する。この状態で、一方の側部２０ａと新設上枠１５の基部１５ａとの間に止水材３４が設けられている。
他方の側部２０ｂにおいて、ボックス部２０ｃ及び下地ブロック３５の外側と外壁２との間をシール部材３６で止水する。そして、ボックス部２０ｃの上部開口２０ｅにねじカバー４９の蓋部４９ａの嵌合ヒレ部を嵌合させ、当接片４９ｂを外壁２に着座させる。これにより、シール部材３６とボックス部２０ｃ及び下地ブロック３５と外壁２の一部をねじカバー４９で被覆できるため、露出しない。
【００３５】
同様に、図５に示すように、下枠カバー部材２１を、既設下枠８を覆うように屋外側から装着させ、長尺の一方の側部２１ａを既設下枠８と新設下枠１６との間に挿入させる。短尺の他方の側部２１ｂのボックス部２０ｃを既設下枠８の外側の外壁２に下地ブロック４３を介して着座させ、固定ねじｎ７によって下地ブロック４３に固定する。既設下枠８のボックス部２１ｃ及び下地ブロック４３ではシール部材３６で封止しない。
他方の側部２１ｂにおいて、ボックス部２１ｃの上部開口２１ｅにねじカバー４９の蓋部４９ａの嵌合ヒレ部を嵌合させ、当接片４９ｂを外壁２に着座させる。これにより、ボックス部２０ｃ及び下地ブロック４３と外壁２をねじカバー４９で被覆できるため、露出しない。
【００３６】
また、図６及び図７に示すように、縦枠カバー部材２２を、既設縦枠９を覆うように屋外側から装着させ、長尺の一方の側部２２ａを既設縦枠９と新設縦枠１７との間に挿入させ、他方の側部２２ｂのカバー装着部５２を既設縦枠９の既設屋外側端部９ｃ上に着座させる。このとき、縦枠カバー部材２２の長尺の側部２２ａの下端部内側に切欠部５７が形成されているため、切欠部５７に既設下枠８の既設屋外側端部８ｂが挿入され、干渉しない。
しかし、縦枠カバー部材２２の短尺の側部２２ｂの下端部外側に設けたカバー装着部５２の当接リブ４８が既設屋外側端部８ｂと干渉するため、当接リブ４８の干渉する部分を図６で示すカット線Ｋに沿って切除し、切り欠け部４８ａを形成する。
【００３７】
当接リブ４８の切り欠け部４８ａを既設下枠８の既設屋外側端部８ｂに装着させることで不陸を吸収する。これにより、縦枠カバー部材２２の他方の側部２２ｂのカバー装着部５２を、既設縦枠９の既設屋外側端部９ｃと既設下枠８の既設屋外側端部８ｂとに当接できる。
その後、ねじｎ１１を既設屋外側端部９ｃに締め込み、他方の側部２２ｂのカバー装着部５２におけるボックス部２２ｃ及び当接リブ４８の外側をシール部材５３によって水密に封止する。
左側の縦枠カバー部材２３についても同様にカバー装着部５２を既設屋外側端部１０ｃに装着し、固定ねじｎ１１を締め込むことでボックス部２３ｃ及び当接リブ４８の切り欠け部４８ａを既設屋外側端部１０ｃ及び既設屋外側端部８ｂに当接する。そして、側部２３ｂのボックス部２３ｃ及び当接リブ４８と既設縦枠１０の既設屋外側端部１０ｃの外側をシール部材５３によって水密に封止する。
【００３８】
次いで、左右の縦枠カバー部材２２、２３において、短尺の側部２２ｂ、２３ｂのボックス部２２ｃ、２３ｃの上部開口２２ｅ、２３ｅにねじカバー４９の蓋部４９ａの嵌合ヒレ部をそれぞれ嵌合させる。これにより、当接片４９ｂを既設縦枠９，１０の端面９ｄ、１０ｄに着座させる。各ねじカバー４９によってカバー装着部５２、シール部材５３及び既設屋外側端部９ｃ、１０ｃを被覆できる。
次に、上枠アングルカバー２９、下枠アングルカバー３０、縦枠アングルカバー３１、３２が四方組みされた状態で屋内側から差込み、ねじで固定する。
【００３９】
上述したように、本実施形態による改装サッシ１に取り付けた各カバー部材２０、２１、２２，２３によれば、改装サッシ１の既設枠６や外壁２の形状や大きさ等が相違していても、既設枠６の屋外側部分を覆うカバー本体２０Ａ，２１Ａ，２２Ａ，２３Ａの外側に位置する既設枠６や外壁２の一部をねじカバー４９によって覆い隠すことができる。
しかも、各カバー部材２０、２１、２２，２３は、カバー本体２０Ａ，２１Ａ，２２Ａ，２３Ａを大きくすることなくボックス部２０ｃ〜２３ｃの上部開口２０ｅ〜２３ｅにそれぞれ嵌合するねじカバー４９の延長部分で既設枠６や外壁２を被覆することができる。しかも、各カバー部材２０、２１、２２，２３はシール部材３６、５３を覆うこともできるため意匠性が向上する。
【００４０】
以上、本発明の実施形態による改装サッシ１に用いる各カバー部材２０、２１、２２，２３について詳細に説明したが、本発明は上述の実施形態に限定されることはなく、本発明の要旨を逸脱しない範囲で適宜の変更や置換等が可能であり、これらはいずれも本発明に含まれる。以下に、本発明の他の実施形態等について説明するが、上述の実施形態と同一または同様な部分、部材には同一の符号を用いて説明を省略する。
【００４１】
例えば、図８は本発明の第二実施形態によるカバー部材１３を示すものであり、既設縦枠９を被覆する縦枠カバー部材６０によって代表して説明する。
図８に示す縦枠カバー部材６０において、既設縦枠９の端面９ｄと外壁２とがシール部材４５の目地を介して連結されている。本実施形態による縦枠カバー部材６０は、基本構成を第一実施形態による縦枠カバー部材２２と同じくしている。縦枠カバー部材６０のボックス部２２ｃの上部開口２２ｅに嵌合ヒレ部を嵌合させたねじカバー６１は蓋部６１ａが第一当接片６１ｂの外側に延びており、既設縦枠９の端面９ｄとシール部材４５との接続部近傍まで延びて端面９ｄに垂下する第二当接片６１ｃが設置されている。
【００４２】
本第二実施形態による縦枠カバー部材６０によれば、縦枠カバー部材６０のボックス部２２ｃに嵌合するねじカバー６１が屋外側の既設縦枠９の端面９ｄをほぼ覆う構成を備えたため、一層意匠性が向上する。しかも、蓋部６１ａの長手方向途中部分には蓋部６１ａを支持する第一当接片６１ｂを設けたため、強度を補強できる。
【００４３】
次に、本発明の第三実施形態によるカバー部材１３を図９により説明する。本実施形態では、既設縦枠９を被覆する縦枠カバー部材６４によって代表して説明する。
図９に示す縦枠カバー部材６４は、ボックス部２２ｃの上部開口２２ｅに嵌合ヒレ部を嵌合させたねじカバー６５を備えており、ねじカバー６５は蓋部６５ａが第一当接片６５ｂの外側に延びており、既設縦枠９の端面９ｄ及びシール部材４５を超えて外壁２まで延びて外壁２に垂下する第二当接片６５ｃが設置されている。
【００４４】
本第三実施形態による縦枠カバー部材６４によれば、縦枠カバー部材６４のボックス部２２ｃに嵌合するねじカバー６５が屋外側の既設縦枠９の端面９ｄとシール部材４５を覆う構成を備えたため、既設縦枠９だけでなく、シール部材４５も被覆できる。そのため、一層意匠性が向上する。
上述した第二、第三実施形態による縦枠カバー部材６０、６４の構成は既設縦枠９を被覆する縦枠カバー部材だけでなく、既設縦枠１０を被覆する縦枠カバー部材２３、上枠カバー部材２０、下枠カバー部材２１にも適用されている。
【００４５】
なお、上述した各実施形態では、既設枠６の既設下枠８が他の部分より突出して不陸を形成する例について説明したが、既設上枠７が他の部分より突出していても同様に縦枠カバー部材２２，２３、６０、６４における各一対の当接リブ４８の一部を切除することで、不陸を吸収して装着することができる。
また、既設縦枠９，１０が既設上枠７や既設下枠８（既設横枠）より突出して不陸を形成する場合には、上記カバー装着部５２の構造を縦枠カバー部材２２、２３に代えて上枠カバー部材２０及び／または下枠カバー部材２１の他方の側部２０ｂ、２１ｂの端部に形成してもよい。
【００４６】
また、既設枠６における既設上枠７及び既設下枠８と既設縦枠９，１０の何れかが他より突出する構成を有していなくてもよく、これらの既設屋外側端部が同一平面状に形成されていてもよい。この場合には、カバー部材１３に当接リブ４８を省略してもよく、各カバー部材における他方の側部に設けたボックス部２０ｃ〜２３ｃとねじカバー４９、６１、６５で構成されていてもよい。或いはボックス部２０ｃ〜２３ｃとねじカバー４９、６１、６５と下地ブロック３５、４３等で構成されていてもよい。
【００４７】
上述の各実施形態では、各カバー部材２０〜２３について蓋部と１または２と以上の当接片とで断面略Ｌ字状に形成し、各ボックス部２０ｃ〜２３ｃの上部開口にねじカバー４９、６１、６５の嵌合ヒレ部を嵌合して着脱交換可能に固定した。しかしながら、各カバー部材２０〜２３にボックス部２０ｃ〜２３ｃを設けずに、蓋部を固定ねじｎ１１で既設枠６の各既設屋外側端部に固定してもよい。なお、本発明において、ねじカバー４９、６１、６５は補助カバー部材に含まれる。
【００４８】
上述した各実施形態では、カバー部材を既設枠６の既設屋外側端部に固定した固定ねじｎ１１を覆うねじカバー４９，６１，６５を補助カバー部材としたが、本発明の補助カバー部材は必ずしも固定ねじｎ１１を被覆する構成でなくてもよい。例えばカバー部材の一方の側部に固定して既設上枠７、既設下枠８、既設縦枠９，１０の既設屋外側端部や外壁２の一部や目地のシール部材４５等を被覆するものでもよい。
また、本発明によるカバー部材２０〜２３は、改装サッシ１における既設枠６の既設上枠７及び既設下枠８と既設縦枠９，１０を屋外側から被覆する部材に限定されない。これらを含めて建物の開口部３に設けた建具用の枠の屋外側を覆う適宜のカバー部材に採用できる。
【符号の説明】
【００４９】
１  改装サッシ
２  外壁
３  開口部
６  既設枠
７  既設上枠
８  既設下枠
９、１０  既設縦枠
１２  新設枠
１３  カバー部材
１５  新設上枠
１６  新設下枠
１７、１８  新設縦枠
２０  上枠カバー部材
２０Ａ、２１Ａ、２２Ａ、２３Ａ  カバー本体
２０ａ、２０ｂ、２１ａ、２１ｂ、２２ａ、２２ｂ、２３ａ、２３ｂ  側部
２１  下枠カバー部材
２２，２３、６０、６４  縦枠カバー部材
２２ｃ  ボックス部
２２ｄ  底部(受け部)
４９，６１、６５  ねじカバー(補助カバー部材)
【図１】
2018080548.tif 000003
【図２】
2018080548.tif 000004
【図３】
2018080548.tif 000005
【図４】
2018080548.tif 000006
【図５】
2018080548.tif 000007
【図６】
2018080548.tif 000008
【図７】
2018080548.tif 000009
【図８】
2018080548.tif 000010
【図９】
2018080548.tif 000011